(57)【要約】【課題】揮発性のある放射性物質を含む放射性溶液から点線源を製造する際に、周辺環境や排気設備を汚染せず、容易に製造できるようにする。【解決手段】放射性溶液１４と外気との接触を極力抑制するため、放射性溶液吸引・吐出器（１２０）と線源支持器（１４２）を、密閉容器１００に収め、この中で線源を製造する。密閉容器１００には、吸着ガス流入装置２００とガス循環吸着装置３００が接続されており、これにより、密閉容器１００での放射性ガスの発生を抑制すると共に、密閉容器１００内に発生した放射性ガスは、ガス循環吸着装置３００内のガス吸着槽３１０へ吸着させることができ、密閉容器１００を開放しても、周辺環境への汚染を極力抑制することができる。【選択図】図１
2014010065.tif 000002
【特許請求の範囲】
【請求項１】
揮発性のある放射性物質を含む放射性溶液、該放射性溶液の吸引・吐出器、及び、線源支持器を密閉容器に収容し、
該密閉容器内に吸着ガスを流入させつつ放射線源を製造すると共に、
前記密閉容器内で発生した放射性ガスを、ガス入口及び／又は出口に放射性ガスモニタリング装置が設置されたガス吸着槽を有するガス循環吸着装置に導いて、
前記密閉容器内で発生した放射性ガスを前記ガス吸着槽に吸着させることを特徴とする放射線源の製造方法。
【請求項２】
揮発性のある放射性物質を含む放射性溶液、該放射性溶液の吸引・吐出器、及び、線源支持器を収容するための密閉容器と、
該密閉容器内に吸着ガスを流入させる吸着ガス流入装置と、
前記密閉容器に接続される、ガス入口及び／又は出口に放射性ガスモニタリング装置が設置されたガス吸着槽を有するガス循環吸着装置とを備え、
前記密閉容器内で放射線源を製造すると共に、該密閉容器内で発生した放射性ガスを前記ガス吸着槽に吸着させるようにしたことを特徴とする放射線源の製造装置。
【請求項３】
前記密閉容器内に線源室が設けられ、該線源室とその他の部分の仕切りに開閉可能なシャッターが設置されていることを特徴とする、請求項２に記載の放射線源の製造装置。
【請求項４】
前記放射性溶液の吸引・吐出器が、前記密閉容器内で、移動装置により移動できるようにされていることを特徴とする、請求項２又は３に記載の放射線源の製造装置。
【請求項５】
前記密閉容器内に、線源支持器及び／又は放射性溶液吸収体を単数又は複数設置できるようにされていることを特徴とする、請求項２乃至４のいずれかに記載の放射線源の製造装置。
【請求項６】
前記線源支持器が、枠と、その内側に貼られたフィルムで構成されていることを特徴とする、請求項５に記載の放射線源の製造装置。
【発明の詳細な説明】
【技術分野】
【０００１】
本発明は、放射線源の製造方法及び装置に係り、特に、ＰＥＴ装置の校正用点線源を製造する際に用いるのに好適な、揮発性のある放射性物質を含む放射性溶液から点線源を容易に製造可能な、放射線源の製造方法及び装置に関する。
【背景技術】
【０００２】
特許文献１や２に記載されているように、ＰＥＴ装置のような核医学イメージング装置においては、点線源を用いて、検出器の検出時間を決定するための時間情報を校正することが行なわれている。
【０００３】
一方、放射線源の製造に関しては、特許文献３に、放射性物質の水溶液を含有する親水性高分子を均一な厚さに形成するか、均一な厚さの親水性高分子層に放射性物質を浸透、吸収させ、そして、この層を真空凍結乾燥するか、この層中に難溶性化合物を形成させた後、乾燥するようにしたβ線放射性核種の面線源の製造方法が記載されている。
【０００４】
又、点線源の製造については、放射性溶液をフィルムに滴下し、乾燥させ、密封する、或いは、吸収体を線源溶液に浸漬し、その後、引き上げ、乾燥させ、密封する等の方法が行われている。
【先行技術文献】
【特許文献】
【０００５】
【特許文献１】特開２０１２−２６９３号公報
【特許文献２】特開２０１２−２１９７６号公報
【特許文献３】特開平７−１２８４９９号公報
【発明の概要】
【発明が解決しようとする課題】
【０００６】
しかしながら、揮発性のある放射性物質を含む放射性溶液の場合、これらの方法を用いると、空気中に放射性物質が拡散し、周辺環境を汚染するとともに、施設の排気設備をも汚染してしまうので、揮発性のある放射性物質を含む放射性溶液から放射線源を製造することは困難であった。
【０００７】
本発明は、前記従来の問題点を解決するべくなされたもので、揮発性のある放射性物質を含む放射性溶液から放射線源を製造する際に、周辺環境や排気設備を汚染しないようにし、揮発性のある放射性物質を含む放射性溶液から放射線源を容易に製造できるようにすることを課題とする。
【課題を解決するための手段】
【０００８】
本発明は、揮発性のある放射性物質を含む放射性溶液、該放射性溶液の吸引・吐出器、及び、線源支持器を密閉容器に収容し、該密閉容器内に吸着ガスを流入させつつ放射線源を製造すると共に、前記密閉容器内で発生した放射性ガスを、ガス入口及び／又は出口に放射性ガスモニタリング装置が設置されたガス吸着槽を有するガス循環吸着装置に導いて、前記密閉容器内で発生した放射性ガスを前記ガス吸着槽に吸着させるようにして、前記課題を解決したものである。
【０００９】
本発明は、又、揮発性のある放射性物質を含む放射性溶液、該放射性溶液の吸引・吐出器、及び、線源支持器を収容するための密閉容器と、該密閉容器内に吸着ガスを流入させる吸着ガス流入装置と、前記密閉容器に接続される、ガス入口及び／又は出口に放射性ガスモニタリング装置が設置されたガス吸着槽を有するガス循環吸着装置とを備え、前記密閉容器内で放射線源を製造すると共に、該密閉容器内で発生した放射性ガスを前記ガス吸着槽に吸着させるようにしたことを特徴とする放射線源の製造装置を提供するものである。
【００１０】
ここで、前記密閉容器内に線源室を設け、該線源室とその他の部分の仕切りに開閉可能なシャッターを設置することができる。
【００１１】
又、前記放射性溶液の吸引・吐出器を、前記密閉容器内で移動装置により移動できるようにすることができる。
【００１２】
又、前記密閉容器内に、線源支持器及び／又は放射性溶液吸収体を単数又は複数設置することができる。
【００１３】
又、前記線源支持器を、枠と、その内側に貼られたフィルムで構成することができる。
【発明の効果】
【００１４】
従来法では、高濃度の揮発性のある放射性物質を含む放射性溶液から放射線源を製造しようとすると、周辺に放射性表面汚染をもたらすため、専用のグローブボックスなどを要した。本発明法を用いると、揮発性のある放射性物質を含む放射性溶液から放射線源を製造しても、周辺環境を汚染することがなく、また、発生した放射性気体は、ガス吸着槽に吸着するので、製造装置以外の専用設備をほとんど要しない。また、密閉容器内の気体の放射能、吸着ガス濃度が充分低くなったことを、放射性ガスモニタにより確認できる。従って、今まで困難であった、揮発性のある放射性物質を含む放射性溶液からの放射線源の製造を安全且つ容易に行なうことができる。
【図面の簡単な説明】
【００１５】
【図１】本発明の実施形態の全体構成を示す管路図
【図２】同じく密閉容器部分を示す断面図
【図３】同じく線源テーブルを示す平面図
【図４】同じく線源支持器を示す平面図及び断面図
【図５】前記実施形態の線源テーブルの変形例を示す平面図
【図６】同じく線源テーブルの他の変形例を示す平面図
【図７】同じく処理手順を示す流れ図
【発明を実施するための形態】
【００１６】
以下図面を参照して、本発明を詳細に説明する。
【００１７】
本実施形態は、図１（全体図）及び図２（密閉容器部分の断面図）に示す如く、揮発性のある放射性物質を含む放射性溶液１４、該放射性溶液１４の吸引・吐出器であるシリンジ１２０及び線源支持器である線源支持フィルム１４２を収容するための密閉容器１００と、該密閉容器１００内に吸着ガスを流入させる吸着ガス流入装置２００を構成する、吸着ガスが充填されたガスボンベ２０２及び開閉器２０４と、前記密閉容器１００に接続される、放射性ガスモニタリング装置３１２、３１４がガス入口及び出口にそれぞれ設置されたガス吸着槽３１０を有するガス循環吸着装置３００とを主に備えている。
【００１８】
前記密閉容器１００は、外壁１０２で内側の構造体を密閉すると共に、外壁１０２は一部又は全部を取り外すことができ、人の手で、中の構造体に何らかの操作や調整を加えることもできる。
【００１９】
前記密閉容器１００内には、図２に詳細に示す如く、シャッター１０８を有する仕切り１０６で区画された、図の下方の線源室１０４に配置される線源１０と、前記仕切り１０６の上方に配置されたシリンジ１２０及び線源テーブル１４０が設けられている。
【００２０】
前記仕切り１０６は、線源の表面の汚染を抑制するためのもので、該仕切り１０６にシャッター１０８を設置して、シリンジ１２０により放射性溶液１４を吸い上げるときにはシャッター１０８を開け、それ以外のときはシャッター１０８を閉めるようにされている。なお、仕切り１０６やシャッター１０８は、省略することもできる。
【００２１】
前記線源１０は、線源容器１２と、その中に収容された放射性溶液１４と、密封用の線源キャップ１６とを有する。この線源キャップ１６には弾性のある素材が用いられており、プランジャ１２４の針１２６を挿入、引き抜きしても、線源１０の密封性を保つことができるようにされている。
【００２２】
前記シリンジ１２０は、シリンジ容器１２２と、先端に針１２６が配設されたプランジャ１２４とを主に有し、前記シリンジ容器１２２はシリンジ固定治具１３０に固定され、前記プランジャ１２４は、プランジャ移動装置１３２によりシリンジ容器１２２に対して相対移動可能とされている。前記シリンジ固定治具１３０及びプランジャ１２４は、シリンジ移動装置１３６を介して密閉容器１００内に植立されたステージ１１０に固定されている。
【００２３】
前記プランジャ１２４は、シリンジ１２０全体として、シリンジ移動装置１３６により上下に移動できるとともに、プランジャ移動装置１３２により、単体として上下に移動し、放射性溶液１４の吸い上げ、吐出を行うことができる。また、シリンジ１２０には、マイクロピペットのように定量滴下できる機構が備わっていてもよい。
【００２４】
前記線源テーブル１４０は、密閉容器１００内に植立されたステージ１１２に対して回転可能とされると共に、シリンジ１２０が線源１０から放射性溶液１４を吸い取るときに、該線源テーブル１４０を通ることができるように、孔１４０Ａが設けられている。さらに孔１４０Ａの周りに座繰り１４０Ｂが形成されている。
【００２５】
該線源テーブル１４０の孔１４０Ａおよび座繰り１４０Ｂの上には、図４（ａ）（平面図）及び（ｂ）（断面図）に示すような、枠１４２Ａの中にフィルム１４２Ｂが貼られてなる線源支持フィルム１４２が載置され且つ固定されている。ここで、前記枠１４２Ａは、線源支持フィルム１４２の取り扱いを容易にするために用いられる。図２中に示される如く、該線源支持フィルム１４２の上に放射性溶液吸収体１５０を載せることができ、該放射性溶液吸収体１５０が偶発的に移動しないように、線源支持フィルム１４２に撓みを形成できる。
【００２６】
図２において、１１４は、例えば前記仕切り１０６の上方に配設された、線源支持フィルム１４２上に滴下された放射性溶液１４や放射性溶液吸収体１５０の乾燥を促進するための乾燥剤である。
【００２７】
開閉器２０４を介して前記密閉容器１００に接続された前記ガスボンベ２０２に収容された吸着ガスは、揮発性のある放射性物質を含む放射性溶液１４の揮発成分と反応し、該揮発成分を放射性溶液吸収体１５０及び線源支持フィルム１４２に沈殿させることができる。なお、吸着ガスの流入孔は、滴下する放射性溶液の近くにおいても良い。
【００２８】
前記ガス循環吸着装置３００は、図１に詳細に示す如く、必要に応じて配管を分離するための接合器３０２、３５２と、ガスを流したり止めたりするための開閉器３０４、３５０と、ガス吸着槽３１０と、その前後に設けられた放射性ガスモニタリング装置３１２、３１４と、ガスを循環させるための循環ポンプ３２０と、ガス流量をモニタリングするための流量計３３０と、ガス流量を調節するための流量調節器３４０とを備えている。
【００２９】
前記密閉容器１００とガス循環吸着装置３００の入側は、開閉器４０２、４０４、分配器４０６で接続され、該ガス循環吸着装置３００の出側と前記密閉容器１００は、分配器４１０及び開閉器４１２、４１４で接続されている。
【００３０】
前記ガス循環吸着装置３００のガス吸着槽３１０内にあるガス吸着剤により、放射性ガス、吸着ガス、ガス中の水蒸気を吸着することができる。
【００３１】
前記ガス吸着槽３１０の前後に設置された放射性ガスモニタリング装置３１２、３１４により、ガス循環吸着装置３００に流入するガス及び流出するガス、即ち、密閉容器１００から流出するガス、及び流入するガスの放射能、吸着ガス濃度をモニタリングすることができ、密閉容器１００内が正常になったことを確認できる。又、同時に、ガスモニタリング装置３１２と３１４で計測された放射能の比、吸着ガス濃度の比を測定することにより、ガス吸着槽３１０のガス吸着剤の吸着能力が所定の能力を満たしているかどうか確認できる。
【００３２】
なお、前記放射性ガスモニタリング装置３１２、３１４のいずれか一方を省略し、一つの放射性ガスモニタリング装置の放射能、吸着ガス濃度の減衰の時間変化量から、ガス吸着槽３１０のガス吸着剤の吸着能力が所定の能力を満たしているかどうかを確認することも可能である。
【００３３】
これらの構造により、放射性物質の揮発を抑制でき、放射性物質が密閉容器１００内で揮発したとしても、密閉容器１００の中を正常化でき、且つ、周辺設備や排気設備を汚染させずに線源製造作業を行なえる。
【００３４】
なお、線源テーブル１４０の構成は図３に限定されず、図５に示すような回転運動ができるテーブル、あるいは図６に示すような並進移動できるようなテーブルであっても良い。
【００３５】
以下、図７を参照して、密封線源の製造手順を説明する。
【００３６】
まずステップ１０１０で、密閉容器１００内に線源１０、線源支持フィルム１４２、放射性溶液吸収体１５０及び必要に応じて乾燥剤１１４を設置し、密閉容器１００を密閉する。
【００３７】
次いでステップ１０２０で、吸着ガス流入装置２００の開閉器２０４を開いて、ガスボンベ２０２から吸着ガスを密閉容器１００内に導入する。
【００３８】
次いでステップ１０３０に進み、シャッター１０８を開け、シリンジ移動装置１３６によりシリンジ１２０を図の下方に移動させ、針１２６を線源１０に挿入した後、プランジャ移動装置１３２によりプランジャ１２４を図の上方に移動させて、所定量の放射性溶液１４をシリンジ容器１２２内に吸い取る。
【００３９】
次いでステップ１０４０で、シリンジ移動装置１３６によりシリンジ１２０を上昇させて、放射性溶液吸収体１５０に放射性溶液１４を滴下できる高さに移動させ、シャッター１０８を閉じる。
【００４０】
次いでステップ１０５０で、線源テーブル１４０を回転して、線源支持フィルム１４２をシリンジ１２０の下に移動させる。
【００４１】
次いでステップ１０６０で、プランジャ移動装置１３２によりプランジャ１２４を下降させてシリンジ容器１２２内の放射性溶液１４を吐出し、放射性溶液吸収体１５０の上に滴下する。このとき、線源テーブル１４０が、図３のような回転テーブルであれば、複数の放射線溶液吸収体１５０の上に放射性溶液１４を順次、滴下することができる。
【００４２】
滴下終了後、シャッター１０８を開け、ステップ１０７０で、線源１０と同様の形状で、放射性溶液１４の入っていない空の線源容器１２に、シリンジ容器１２２内に残っている放射性溶液１４を注入して、保管できるようにする。
【００４３】
次いでステップ１０８０に進み、ガス循環吸着装置３００を稼働させ、放射性溶液１４から気化して生成した放射性ガス、吸着ガス、水蒸気を気体中から除去し、密閉容器１００の中の空気を浄化すると共に、放射性溶液吸収体１５０の上に滴下された放射性溶液１４を乾燥させる。
【００４４】
次いでステップ１０９０で、放射性ガスモニタリング装置３１２、３１４により、放射性ガス及び吸着ガスを十分除去できることが確認できた後、ステップ１１００で、密閉容器１００の外壁１０２の一部又は全部を取外して、ステップ１１１０で、線源支持フィルム１４２及び放射性溶液吸収体１５０の上に、線源支持フィルム１４２と同様の形態の線源カバーフィルムを被せ、放射性溶液吸収体１５０を密封する。さらに、線源をカバーフィルムごと切り抜き、これを金属で被覆してもよい。
【実施例１】
【００４５】
線源１０中の放射性溶液１４として塩化ゲルマニウム６８塩化ガリウム６８水溶液を用いた。吸着ガスとして、硫化水素を用い、乾燥剤１１４として十酸化四リンを用いた。放射性溶液１４をシリンジ１２０で吸い取り、線源支持フィルム１４２としてのＶＹＮＳ（塩化ビニル・酢酸ビニル共重合体）フィルム上の、放射性溶液吸収体１５０としてのイオン交換樹脂に滴下した。ガス循環吸着装置３００を稼動させて、滴下した放射性溶液１４を乾燥させるとともに、密閉容器内１００を浄化した。その後、ゲルマニウム６８、ガリウム６８が吸着したＶＹＮＳフィルム（１４２）上のイオン交換樹脂（１５０）の上に線源カバーのためのＶＹＮＳフィルムを被せ、これを切り抜きアルミで被覆することで、ゲルマニウム６８、ガリウム６８の点線源とした。
【００４６】
なお、前記説明においては、放射性溶液吸収体１５０を用いていたが、放射性溶液吸収体１５０を用いることなく、放射性溶液１４を直接、線源支持フィルム１４２上に滴下して線源とすることも可能である。
【００４７】
又、前記説明においては、点線源を得るようにしていたが、シリンジ１２０から滴下する量を増やしたり、放射性溶液吸収体１５０を面状として、面状線源を得ることも可能である。
【産業上の利用可能性】
【００４８】
本発明により、揮発性のある放射性物質を含む放射性溶液から点線源を容易に製造できる。特に、核医学診断装置であるＰＥＴ装置の校正用点線源を製造できるようになる。
【符号の説明】
【００４９】
１０…線源
１２…線源容器
１４…放射性溶液
１６…線源キャップ
１００…密閉容器
１０２…外壁
１０４…線源室
１０６…仕切り
１０８…シャッター
１１０、１１２…ステージ
１１４…乾燥剤
１２０…シリンジ
１２２…シリンジ容器
１２４…プランジャ
１２６…針
１３０…シリンジ固定治具
１３２…プランジャ移動装置
１３６…シリンジ移動装置
１４０…線源テーブル
１４０Ａ…孔
１４０Ｂ…座繰り
１４２…線源支持フィルム
１４２Ａ…枠
１４２Ｂ…フィルム
１５０…放射性溶液吸収体
２００…吸着ガス流入装置
２０２…ガスボンベ
２０４、３０４、３５０、４０２、４０４、４１２、４１４…開閉器
３００…ガス循環吸着装置
３０２、３５２…接合器
３１０…ガス吸着槽
３１２、３１４…放射性ガスモニタリング装置
３２０…循環ポンプ
３３０…流量計
３４０…流量調節器
４０６、４１０…分配器
【図１】
2014010065.tif 000003
【図２】
2014010065.tif 000004
【図３】
2014010065.tif 000005
【図４】
2014010065.tif 000006
【図５】
2014010065.tif 000007
【図６】
2014010065.tif 000008
【図７】
2014010065.tif 000009